【手続補正書】
【提出日】平成29年12月1日(2017.12.1)
【手続補正１】
【補正対象書類名】特許請求の範囲
【補正対象項目名】全文
【補正方法】変更
【補正の内容】
【特許請求の範囲】
【請求項１】
８０重量％を超えるベンゾオキサジンブレンドを含む硬化可能な樹脂組成物であって、前記ベンゾオキサジンブレンドが：（Ａ）二官能性ベンゾオキサジン成分；及び（Ｂ）２を超える平均官能価を有する多官能性ベンゾオキサジン成分を含み、
ここで、成分（Ｂ）が、以下の構造Ｉ：
2017502135.tif 000001
（式中、Ｒ１、Ｒ２及びＲ３は、アリール基であり、ここで、前記アリール基は、任意選択的に置換され、そして置換される場合、１つ以上の置換基は、各シクロアルキル及びアリール基上に存在していてもよく；並びにＲ４は、水素、ハロゲン、アルキル及びアルケニルから選択される）によって表される三官能性ベンゾオキサジン化合物を含み、
成分（Ｂ）が、三価フェノール、芳香族アミン及びホルムアルデヒドの反応生成物であり、並びに
前記多官能性ベンゾオキサジン成分（Ｂ）が、前記組成物における前記ベンゾオキサジンブレンドの総重量を基準として最高３０重量％の量で存在する、前記硬化可能な樹脂組成物。
【請求項２】
前記樹脂組成物を硬化させて硬化樹脂を形成する時に、前記硬化樹脂が、成分（Ｂ）を有していない同じ硬化樹脂に比べて５倍遅い有機溶媒吸収率を示す、請求項１に記載の硬化可能な樹脂組成物。
【請求項３】
８０重量％を超えるベンゾオキサジンブレンドを含む硬化可能な樹脂組成物であって、前記ベンゾオキサジンブレンドが：（Ａ）二官能性ベンゾオキサジン成分；及び（Ｂ）２を超える平均官能価を有する多官能性ベンゾオキサジン成分を含み、
ここで、成分（Ｂ）が、以下の構造ＩＩ：
2017502135.tif 000002
（式中、Ｒ１、Ｒ２及びＲ３はアルキルである）によって表される三官能性ベンゾオキサジン化合物を含み、
前記多官能性ベンゾオキサジン成分（Ｂ）が、前記組成物における前記ベンゾオキサジンブレンドの総重量を基準として最高３０重量％の量で存在する、硬化可能な樹脂組成物。
【請求項４】
構造ＩＩのＲ１、Ｒ２及びＲ３が、Ｃ１−８アルキルから独立に選択される、請求項３に記載の硬化可能な樹脂組成物。
【請求項５】
成分（Ｂ）が、以下の構造ＩＩＩ：
2017502135.tif 000003
によって表される三官能性ベンゾオキサジンを含む、請求項４に記載の硬化可能な樹脂組成物。
【請求項６】
多官能性ベンゾオキサジン成分（Ｂ）対二官能性ベンゾオキサジン成分（Ａ）の重量比が、１：９９〜３０：７０の範囲内である、請求項１または３に記載の硬化可能な樹脂組成物。
【請求項７】
成分（Ｂ）が、三価フェノール、芳香族アミン及びホルムアルデヒドの反応生成物であり、かつ構造ＩＩと、２つだけの完全に閉じているオキサジン部分を有する構造ＩＩとのブレンドを含み、最終的なフェノールが、未反応であるか、ホルムアルデヒドと部分的に反応するか又は開環する、請求項３に記載の硬化可能な樹脂組成物。
【請求項８】
成分（Ｂ）が、１，１，１−トリス（４−ヒドロキシフェニル）エタン、ｐ−トルイジン及びｐ−ホルムアルデヒドの反応生成物である、請求項５に記載の硬化可能な樹脂組成物。
【請求項９】
成分（Ｂ）が、構造ＩＩＩと、２つだけの完全に閉じたオキサジン部分を有する構造ＩＩＩとのブレンドを含み、最終的なフェノールが、未反応であるか、ホルムアルデヒドと部分的に反応するかまたは開環する、請求項８に記載の硬化可能な樹脂組成物。
【請求項１０】
前記二官能性ベンゾオキサジンが、以下の構造（ＩＶ）：
2017502135.tif 000004
（式中、
Ｚ１は、直接結合、−Ｃ（Ｒ３）（Ｒ４）−、−Ｃ（Ｒ３）（アリール）−、−Ｃ（Ｏ）−、−Ｓ−、−Ｏ−、−Ｓ（Ｏ）−、−Ｓ（Ｏ）２−、二価ヘテロ環及び−［Ｃ（Ｒ３）（Ｒ４）］ｘ−アリーレン−［Ｃ（Ｒ５）（Ｒ６）］ｙ−から選択されるか、または前記ベンゾオキサジン部分の２つのベンジル環は縮合されていてもよく；
Ｒ１及びＲ２は、アルキル、シクロアルキル、及びアリールから独立に選択され、ここで前記シクロアルキル及びアリール基は：Ｃ１−８アルキル、ハロゲン及びアミン基から選択される置換基によって任意選択的に置換され、そして置換される場合、１つ以上の置換基は各シクロアルキル及びアリール基上に存在していてもよく；
Ｒ３、Ｒ４、Ｒ５及びＲ６は、Ｈ、Ｃ１−８アルキル、及びハロゲン化アルキルから独立に選択され；並びに
ｘ及びｙは独立に０または１である）によって表される、請求項１に記載の硬化可能な樹脂組成物。
【請求項１１】
前記二官能性ベンゾオキサジンが、以下の構造Ｖ：
2017502135.tif 000005
（式中、
Ｚ１は、直接結合、−Ｃ（Ｒ３）（Ｒ４）−、−Ｃ（Ｒ３）（アリール）−、−Ｃ（Ｏ）−、−Ｓ−、−Ｏ−、−Ｓ（Ｏ）−、−Ｓ（Ｏ）２−、二価ヘテロ環及び−［Ｃ（Ｒ３）（Ｒ４）］ｘ−アリーレン−［Ｃ（Ｒ５）（Ｒ６）］ｙ−から選択されるか、または２つのベンジル環は縮合されていてもよく；
Ｒ１及びＲ２は、水素、アルキル、シクロアルキル、及びアリールから独立に選択され、ここで前記シクロアルキル及びアリール基は：Ｃ１−８アルキル、ハロゲン及びアミン基から選択される置換基によって任意選択的に置換され、そして置換される場合、１つ以上の置換基は各シクロアルキル及びアリール基上に存在していてもよく；
Ｒ３、Ｒ４、Ｒ５及びＲ６は、Ｈ、Ｃ１−８アルキル、及びハロゲン化アルキルから独立に選択され；並びに
ｘ及びｙは独立に０または１である）によって表される、請求項１または３に記載の硬化可能な樹脂組成物。
【請求項１２】
前記硬化可能な組成物が、エポキシ、シアン酸エステル、ビスマレイミド、及びフェノールホルムアルデヒドから選択される任意の熱硬化可能な樹脂を有していないか、または前記組成物の総重量を基準として５重量％未満含有する、請求項１または３に記載の硬化可能な樹脂組成物。
【請求項１３】
８０重量％を超えるベンゾオキサジンブレンドを含む硬化可能な樹脂組成物であって、前記ベンゾオキサジンブレンドが：（Ａ）二官能性ベンゾオキサジン成分；及び（Ｂ）２を超え、最高３の平均官能価を有する多官能性ベンゾオキサジン成分を含み、
ここで、成分（Ｂ）が三価フェノール、芳香族アミン及びホルムアルデヒドの反応生成物であり、前記三価フェノールが以下の構造：
2017502135.tif 000006
によって表され、並びに成分（Ｂ）が、前記組成物における前記ベンゾオキサジンブレンドの総重量を基準として最高３０重量％の量で存在する、硬化可能な樹脂組成物。
【請求項１４】
成分（Ｂ）が、１，１，１−トリス（４−ヒドロキシフェニル）エタン、ｐ−トルイジン及びｐ−ホルムアルデヒドの反応生成物である請求項１３に記載の硬化可能な樹脂組成物。
【請求項１５】
成分（Ｂ）対成分（Ａ）の重量比が、１：９９〜３０：７０の範囲内である請求項１３または１４に記載の硬化可能な樹脂組成物。
【請求項１６】
前記硬化可能な組成物が、エポキシ、シアン酸エステル、ビスマレイミド、及びフェノールホルムアルデヒドから選択される任意の熱硬化可能な樹脂を有していないか、または前記組成物の総重量を基準として５重量％未満含有する、請求項１３に記載の硬化可能な樹脂組成物。
【請求項１７】
請求項１に記載の硬化可能な組成物を含浸または注入されている強化繊維を含む複合材料。
【請求項１８】
前記強化繊維が、炭素繊維、ガラス繊維、及びアラミド繊維から選択される、請求項１７に記載の複合材料。
【請求項１９】
前記強化繊維が、一方向繊維、織物、または繊維もしくは織物プライの複数層を含むプリフォームの形態である、請求項１７または１８に記載の複合材料。
【請求項２０】
（ｉ）請求項１または３に記載の硬化可能な樹脂組成物を強化繊維に含浸または注入すること；及び（ｉｉ）含浸または注入された繊維を硬化させることを含む方法から製造される硬化複合部品。